(57)【要約】【課題】従来のように手間のかかる洗浄剤溶液の止水、排水、洗浄後の原状回復等の作業が不要になり、洗浄作業を簡単に行なうことができる浴槽設置用防水パン洗浄装置を提供する。【解決手段】浴槽設置用防水パン（１）の排水経路（２１）に開閉弁（２２）を設ける。【選択図】　　　　図１
2004019323.tif 000002
【特許請求の範囲】
【請求項１】
浴槽設置用防水パンの排水経路に開閉弁を設けてなることを特徴とする浴槽設置用防水パン洗浄装置。
【請求項２】
開閉弁が、遠隔操作可能な電磁弁である請求項１記載の浴槽設置用防水パン洗浄装置。
【請求項３】
浴槽設置用防水パン排水口と洗い場排水口の間の排水管に開閉弁を設けてなる請求項１または２記載の浴槽設置用防水パン洗浄装置。
【請求項４】
浴室と隣接する室の床下点検口下方に配設され、かつ、浴槽設置用防水パンに連絡せる排水管に開閉弁を設けてなる請求項１または２記載の浴槽設置用防水パン洗浄装置。
【請求項５】
浴槽設置用防水パンに、洗浄剤溶液の水位検出体を設けてなる請求項１ないし４いずれかに記載の浴槽設置用防水パン洗浄装置。
【発明の詳細な説明】
【０００１】
【発明の属する技術分野】
この出願の発明は、浴槽設置用防水パン洗浄装置に関するものである。さらに詳しくは、この出願の発明は、浴槽設置用防水パンを洗浄するに際して、従来のように手間のかかる洗浄剤溶液の止水、排水、洗浄後の原状回復等の作業が不要になり、洗浄作業を簡単に行なうことができる浴槽設置用防水パン洗浄装置に関するものである。
【０００２】
【従来の技術】
従来、マンション等の建築物において、図６および図７に例示したように、浴槽設置用防水パン（１）上に浴槽（２）が設置されているユニットバスの場合には、浴槽（２）下の浴槽設置用防水パン（１）に、浴槽（２）からあふれ出た湯水や、洗い場（３）の湯水が流れ込んでいくため、洗浄せずに放置しておくと黒くドロドロとした汚れが溜まるおそれがあった。
【０００３】
従って、半年〜１年に一度位の頻度で浴槽設置用防水パン（１）を洗浄するようすすめられていた。
【０００４】
そこで、浴槽設置用防水パン（１）を洗浄する場合には、例えば、次のような手順で洗浄作業を行なっていた。
【０００５】
先づ、図６および図７に示したように、浴槽（２）の前面部に取り付けられているエプロン（４）を図６矢印Ａにて示す如く取り外す。
【０００６】
次いで、図８（ａ）に示したように、図７に示した浴槽（２）底部から延設されている浴槽排水管（５）先端部に取り付けられているエルボ（６）、および、エルボ（６）先端部に嵌合させつつ浴槽設置用防水パン排水トラップ（７）に螺装されているヘアキャッチ（８）を取り外し、続いて、エルボ（６）およびヘアキャッチ（８）を取り外した浴槽設置用防水パン排水トラップ（７）に止水蓋（９）（またはゴム板、ゴムボール等の止水体）を螺装して取り付ける。なお、図８（ａ）において、矢印Ｂは、エルボ（６）に対するヘアキャッチ（８）の取り付け方向（逆方向は取り外し方向）、矢印Ｃは、浴槽設置用防水パン排水トラップ（７）に対するヘアキャッチ（８）の回転取り付け・回転取り外し方向、矢印Ｄは、浴槽設置用防水パン排水トラップ（７）に対する止水蓋（９）の回転取り付け方向、矢印Ｅは、止水蓋（９）の回転降下（取り付け）方向〔逆方向は回転上昇（取り外し）方向〕を示している。
【０００７】
次いで、図８（ｂ）に示したように、洗面器（１０）１杯のぬるま湯（１１）に風呂釜用洗浄剤等の洗浄剤（１２）（一穴用）１袋を溶かして得た洗浄剤溶液（１３）を浴槽（２）下の浴槽設置用防水パン（１）上に注ぎ込む。
【０００８】
次いで、図８（ｃ）に示したように、浴槽設置用防水パン（１）に５〜６ｃｍの深さになるように矢印Ｆにて示す如く足し湯を追加して、一晩（６〜８時間）程、放置する。
【０００９】
次いで、図８（ｄ）に示したように、止水蓋（９）を矢印Ｇにて示す如く回転して浴槽設置用防水パン排水トラップ（７）から回転取り外しを行ない、矢印Ｈにて示す如く止水蓋（９）を浴槽設置用防水パン排水トラップ（７）から取り外して、図８（ｃ）にて足し湯を行った洗浄剤溶液（１３）を排水する。
【００１０】
次いで、図８（ｅ）に示したように、シャワー（１４）にて水（１５）を散水して浴槽設置用防水パン（１）上の汚れを洗い流し、前記図８（ａ）にて取り外したヘアキャッチ（８）およびエルボ（６）を元の状態に戻し、さらに、取り外したエプロン（４）を図６および図７に示したように元の状態に戻して洗浄作業を完了する。
【００１１】
なお、図６〜図８において、（１６）は、浴槽設置用防水パン排水口、（１７）は、洗い場排水口、（１８）は、浴槽載置台、（１９）は、浴室壁、（２０）は、給湯・給水栓である。
【００１２】
【発明が解決しようとする課題】
しかしながら、上記浴槽設置用防水パン（１）を洗浄するに際しては、図６、図７、図８（ａ）、（ｂ）に示したように、エプロン（４）、エルボ（６）およびヘアキャッチ（８）を取り外し、止水蓋（９）を取り付けて洗浄剤溶液（１３）を止水したり、図８（ｄ）に示したように、止水蓋（９）を取り外して洗浄剤溶液（１３）を排水したり、取り外したヘアキャッチ（８）、エルボ（６）およびエプロン（４）を洗浄後に元の状態に戻す原状回復等、一連の洗浄作業に手間がかかるという問題があった。
【００１３】
この出願の発明は、以上の通りの事情に鑑みて為されたものであり、上記の問題点を解消し、浴槽設置用防水パンを洗浄するに際して、従来のように手間のかかる洗浄剤溶液の止水、排水、洗浄後の原状回復等の作業が不要になり、洗浄作業を簡単に行なうことができる浴槽設置用防水パン洗浄装置を提供することを解決すべき課題としている。
【００１４】
【課題を解決するための手段】
この出願の発明は、上記の課題を解決するために為されたものであって、第１の発明は、浴槽設置用防水パンの排水経路に開閉弁を設けてなることを特徴とする浴槽設置用防水パン洗浄装置を提供する。
【００１５】
また、第２の発明は、開閉弁が、遠隔操作可能な電磁弁である前記の浴槽設置用防水パン洗浄装置を、第３の発明は、浴槽設置用防水パン排水口と洗い場排水口の間の排水管に開閉弁を設けてなる第１または第２の発明の浴槽設置用防水パン洗浄装置を、第４の発明は、浴室と隣接する室の床下点検口下方に配設され、かつ、浴槽設置用防水パンに連絡せる排水管に開閉弁を設けてなる第１または第２の発明の浴槽設置用防水パン洗浄装置を、第５の発明は、浴槽設置用防水パンに、洗浄剤溶液の水位検出体を設けてなる前記いずれかの浴槽設置用防水パン洗浄装置を提供する。
【００１６】
【発明の実施の形態】
この出願の発明は、上記の通りの特徴をもつものであるが、以下、その実施の形態について説明する。
【００１７】
図１および図２は、この出願の発明の浴槽設置用防水パン洗浄装置の一実施形態を例示し、図１は要部拡大縦断面図、図２は要部透視平面図である。
【００１８】
図１および図２において、前記図６〜図８と同等の部分には、同一の符号を付して説明を省略する。
【００１９】
図１および図２に例示したように、この出願の発明の浴槽設置用防水パン洗浄装置は、浴槽設置用防水パン（１）の排水経路（２１）に、電磁式、手動式等、所望の方式・機構にて開閉操作を行なって排水・止水を行なう開閉弁（２２）を設けてなることを特徴とするものである。
【００２０】
なお、この出願の発明の浴槽設置用防水パン洗浄装置において、浴槽設置用防水パン（１）としては、図１に例示したように、浴槽載置台（１８）を介して浴槽（２）を載置して設置する繊維強化プラスチック（ＦＲＰ）製皿体よりなる汎用の防水床体を使用し、必要に応じて、繊維強化プラスチック（ＦＲＰ）製の洗い場（３）、浴室壁（１９）および浴室天井（図示せず）を連設一体化してユニットバスを構成したものを使用しても良い。
【００２１】
以上の通り、この出願の発明の浴槽設置用防水パン洗浄装置においては、浴槽設置用防水パン（１）の排水経路（２１）に開閉弁（２２）を設けているので、浴槽設置用防水パン（１）を洗浄するに際して、開閉弁（２２）を閉じるだけで、浴槽設置用防水パン（１）上に、前記図８（ｂ）、（ｃ）と同様にして、洗浄剤溶液（１３）を注ぎ込んで止水したり、開閉弁（２２）を開くだけで、浴槽設置用防水パン（１）から洗浄剤溶液（１３）を排水したりすることができ、前記従来のように手間のかかる洗浄剤溶液（１３）の止水、排水、洗浄後の原状回復等の作業が不要になり、洗浄作業を簡単に行なうことができる。
【００２２】
また、この出願の発明の浴槽設置用防水パン洗浄装置において、図１および図２に例示したように、開閉弁（２２）を、信号線・動力線（２３）を介してリモコン装置（２４）にて遠隔操作可能な電磁弁（電磁式開閉弁）にて構成した場合には、浴槽設置用防水パン（１）を洗浄するに際して、洗浄剤溶液（１３）の排水・止水時における開閉弁（２２）の開閉作業を遠隔操作で簡単に行なって浴槽設置用防水パン（１）を洗浄することができる。
【００２３】
また、この出願の発明の浴槽設置用防水パン洗浄装置において、浴槽設置用防水パン（１）の排水経路（２１）に開閉弁（２２）を設けるに際して、図１および図２に例示したように、浴槽設置用防水パン（１）の排水経路（２１）を構成する、浴槽設置用防水パン排水口（１６）に装着せる浴槽設置用防水パン排水トラップ（７）と洗い場排水口（１７）に装着せる洗い場排水トラップ（２５）の間の排水管（２１ａ）に開閉弁（２２）を設けた場合には、前記同様、開閉弁（２２）の開閉操作によって浴槽設置用防水パン（１）の洗浄作業を簡単に行なうことができると共に、開閉弁（２２）の点検・補修作業を洗い場（３）側から簡単に行なうことができる。
【００２４】
図３〜図５は、この出願の発明の浴槽設置用防水パン洗浄装置の異なった実施形態を例示し、図３は要部拡大縦断面図、図４は要部透視平面図、図５は図４のＸ部拡大縦断面図である。
【００２５】
図３〜図５において、前記図６〜図８と同様の部分には、同一の符号を付して説明を省略する。
【００２６】
図３〜図５に例示したように、この出願の発明の浴槽設置用防水パン洗浄装置は、浴槽設置用防水パン（１）の排水経路（２１）に開閉弁（２２）を設けるに際して、浴室（２６）と隣接する洗面所、脱衣所等の室（２７）の床部（２８）に設けた床下点検口（２９）下方に配設され、かつ、浴槽設置用防水パン（１）に連絡せる排水管（２１ａ）に、電磁式、手動式等、所望の方式・機構にて開閉操作を行なって排水・止水を行なう開閉弁（２２）を設けてなるものである。
【００２７】
なお、図５において、（３０）は、床下点検口（２９）に、蝶番式、着脱式等にて開閉自在に装着せる蓋板である。
【００２８】
以上の通り、この出願の発明の浴槽設置用防水パン洗浄装置においては、浴室（２６）と隣接する室（２７）の床下点検口（２９）下方に配設され、かつ、浴槽設置用防水パン（１）に連絡せる排水管（２１ａ）に開閉弁（２２）を設けているので、浴室（２６）から可及的に最短距離の個所の排水管（２１ａ）に設けた開閉弁（２２）を介して洗浄剤溶液（１３）の止水・排水を行なって浴槽設置用防水パン（１）の洗浄作業を行なうことができると共に、開閉弁（２２）の点検・補修作業を床下点検口（２９）を介して簡単に行なうことができ、さらに加うるに、開閉弁（２２）を、手動式の開閉弁（２２）で構成した場合には、きわめて安価な汎用の開閉弁（２２）を、床下点検口（２９）を介して簡単に設置したり、開閉操作したりすることができる。
【００２９】
また、この出願の発明の浴槽設置用防水パン洗浄装置において、図３に例示したように、浴槽設置用防水パン（１）に、〔例えば、高位置に位置する洗い場排水トラップ（２５）の高さを越えない範囲の所望の高さで、〕前記図８（ｂ）、（ｃ）に示した洗浄剤溶液（１３）の高さを検出するセンサや、センサと連動して警報を発するブザー等の水位検出体（３１）を設けた場合には、浴槽設置用防水パン（１）への洗浄剤溶液（１３）の水はりを、水位検出体（３１）を介して簡単、正確に行なうことができ、浴槽設置用防水パン（１）の洗浄を効率的、経済的に行なうことができる。
【００３０】
なお、図３に例示した水位検出体（３１）は、図１に例示した浴槽設置用防水パン（１）において設けても良いことは勿論である。
【００３１】
また、図１〜図４において、（３２）は、浴槽排水栓である。
【００３２】
勿論、この出願の発明は、以上の実施形態によって限定されるものではなく、浴槽設置用防水パンの材質、形状、大きさ、開閉弁および電磁弁の構造、電磁弁の遠隔操作機構、水位検出体の種類等、細部については様々な態様が可能であることは言うまでもない。
【００３３】
【発明の効果】
以上詳しく説明した通り、この出願の発明によって、浴槽設置用防水パンを洗浄するに際して、従来のように手間のかかる洗浄剤溶液の止水、排水、洗浄後の原状回復等の作業が不要になり、洗浄作業を簡単に行なうことができる。
【図面の簡単な説明】
【図１】この出願の発明の浴槽設置用防水パン洗浄装置の一実施形態を例示した要部拡大縦断面図である。
【図２】同上一実施形態を例示した要部透視平面図である。
【図３】この出願の発明の浴槽設置用防水パン洗浄装置の異なった実施形態を例示した要部拡大縦断面図である。
【図４】同上異なった実施形態を例示した要部透視平面図である。
【図５】図４のＸ部拡大縦断面図である。
【図６】従来例を例示した要部概要斜視図である。
【図７】従来例を例示した要部概要縦断面図である。
【図８】（ａ）〜（ｅ）は、従来例の浴槽設置用防水パンの洗浄作業手順を例示した説明図である。
【符号の説明】
１　浴槽設置用防水パン
２　浴槽
３　洗い場
４　エプロン
５　浴槽排水管
６　エルボ
７　浴槽設置用防水パン排水トラップ
８　ヘアキャッチ
９　止水蓋
１０　洗面器
１１　ぬるま湯
１２　洗浄剤
１３　洗浄剤溶液
１４　シャワー
１５　水
１６　浴槽設置用防水パン排水口
１７　洗い場排水口
１８　浴槽載置台
１９　浴室壁
２０　給湯・給水栓
２１　排水経路
２１ａ　排水管
２２　開閉弁
２３　信号線・動力線
２４　リモコン装置
２５　洗い場排水トラップ
２６　浴室
２７　室
２８　床部
２９　床下点検口
３０　蓋板
３１　水位検出体
３２　浴槽排水栓
【図１】
2004019323.tif 000003
【図２】
2004019323.tif 000004
【図３】
2004019323.tif 000005
【図４】
2004019323.tif 000006
【図５】
2004019323.tif 000007
【図６】
2004019323.tif 000008
【図７】
2004019323.tif 000009
【図８】
2004019323.tif 000010